(57)【要約】【課題】ユーザが表示部を見ていなくてもページめくり動作を確実に認識でき、ユーザへのストレスを軽減できる電子機器を提供する。【解決手段】表示部２０と、接触を検出する接触検出部３０と、接触検出部３０を振動させる振動部４０と、制御部１０と、を備え、制御部１０は、接触検出部３０が接触を検出すると、表示部２０に表示する情報の表示ページを変化させるとともに、表示ページの変化に応じて振動部４０によって接触検出部３０を振動させる。【選択図】図１
2013228936.tif 000002
【特許請求の範囲】
【請求項１】
表示部と、
接触を検出する接触検出部と、
前記接触検出部を振動させる振動部と、
制御部と、を備え、
前記制御部は、前記接触検出部への接触を検出すると、前記表示部への表示ページを変化させるとともに、前記表示ページの変化に応じて前記振動部によって前記接触検出部を振動させる、
電子機器。
【請求項２】
前記制御部は、前記接触検出部における接触パターンを検出し、該接触パターンに基づいて前記表示ページの変化ページ数を変更する、
請求項１に記載の電子機器。
【請求項３】
前記接触検出部に対する押圧を検出する押圧検出部を更に備え、
前記制御部は、前記押圧検出部による押圧を前記接触パターンとして検出する、
請求項２に記載の電子機器。
【請求項４】
前記制御部は、前記表示ページの単位変化ページ数に応じて、前記振動部による振動を変更する、
請求項２又は３に記載の電子機器。
【請求項５】
前記制御部は、前記振動部へ供給する駆動信号を変更することによって前記振動部による振動を変更する、
請求項４に記載の電子機器。
【請求項６】
表示部と、接触を検出する接触検出部と、該接触検出部を振動させる振動部と、を備える電子機器の制御方法であって、
前記接触検出部への接触を検出するステップと、
前記接触検出部への接触が検出されると、前記表示部への表示ページを変化させるステップと、
前記表示ページの変化に応じて前記振動部によって前記接触検出部を振動させるステップと、
を含む電子機器の制御方法。
【発明の詳細な説明】
【技術分野】
【０００１】
本発明は、電子機器及び電子機器の制御方法に関するものである。
【背景技術】
【０００２】
近年、タッチセンサ等の接触検出部に対する操作入力に基づいて、表示部に表示されるブラウザや電子ブック等のページを遷移させるようにした電子機器が実用化されている。例えば、特許文献１には、ユーザが画面上の所定位置に所定の圧力で指を接触すると、その接触期間中、連続ページめくりを継続するとともに、更新されたページの画像情報を表示部に順次表示するようにした電子機器が開示されている。かかる電子機器によると、ユーザは、画面を見ながら所望のページで指を離すことにより、表示部に所望のページを表示することが可能となる。
【先行技術文献】
【特許文献】
【０００３】
【特許文献１】特開２０００−１６３１９３号公報
【発明の概要】
【発明が解決しようとする課題】
【０００４】
しかしながら、特許文献１に開示の電子機器において、所望のページを行き過ぎることなくページめくりを行うには、ユーザは、表示部に表示されるページの画像情報を注視して、現在の表示ページを認識する必要がある。特に、連続ページめくりの場合は、操作期間中、表示部を見続ける必要がある。そのため、ユーザにストレスを与えることが懸念される。
【０００５】
したがって、本発明の目的は、ユーザが表示部を見ていなくてもページめくり動作を確実に認識でき、ユーザへのストレスを軽減できる電子機器及び電子機器の制御方法を提供することにある。
【課題を解決するための手段】
【０００６】
上記目的を達成する本発明に係る電子機器は、
表示部と、
接触を検出する接触検出部と、
前記接触検出部を振動させる振動部と、
制御部と、を備え、
前記制御部は、前記接触検出部への接触を検出すると、前記表示部への表示ページを変化させるとともに、前記表示ページの変化に応じて前記振動部によって前記接触検出部を振動させる、
ものである。
【０００７】
本発明の一実施の形態に係る電子機器においては、前記制御部は、前記接触検出部における接触パターンを検出し、該接触パターンに基づいて前記表示ページの変化ページ数を変更する、のが好ましい。
【０００８】
本発明の一実施の形態に係る電子機器においては、前記接触検出部に対する押圧を検出する押圧検出部を更に備え、
前記制御部は、前記押圧検出部による押圧を前記接触パターンとして検出する、のが好ましい。
【０００９】
本発明の一実施の形態に係る電子機器においては、
前記制御部は、前記表示ページの単位変化ページ数に応じて、前記振動部による振動を変更する、のが好ましい。
【００１０】
本発明の一実施の形態に係る電子機器においては、前記制御部は、前記振動部へ供給する駆動信号を変更することによって前記振動部による振動を変更する、のが好ましい。
【００１１】
さらに、上記目的を達成する本発明に係る電子機器の制御方法は、
表示部と、接触を検出する接触検出部と、該接触検出部を振動させる振動部と、を備える電子機器の制御方法であって、
前記接触検出部への接触を検出するステップと、
前記接触検出部への接触が検出されると、前記表示部への表示ページを変化させるステップと、
前記表示ページの変化に応じて前記振動部によって前記接触検出部を振動させるステップと、
を含むものである。
【発明の効果】
【００１２】
本発明によれば、ユーザが表示部を見ていなくてもページめくり動作を確実に認識でき、ユーザへのストレスを軽減することが可能となる。
【図面の簡単な説明】
【００１３】
【図１】本発明の第１実施の形態に係る電子機器の概略構成を示す機能ブロック図である。
【図２】図１の電子機器の概略動作を説明するフローチャートである。
【図３】本発明の第２実施の形態に係る電子機器の概略構成を示す機能ブロック図である。
【図４】図３の電子機器の概略動作を説明するフローチャートである。
【発明を実施するための形態】
【００１４】
以下、本発明の実施の形態について、図を参照して説明する。
【００１５】
（第１実施の形態）
図１は、本発明の第１実施の形態に係る電子機器の概略構成を示す機能ブロック図である。図１に示す電子機器１は、制御部１０と、表示部２０と、接触検出部３０と、振動部４０と、記憶部５０と、を備えている。
【００１６】
制御部１０は、電子機器１を構成する各機能部を制御することにより、電子機器１の全体を制御および管理する。制御部１０の処理のうち本実施の形態に特有のものについては後述する。
【００１７】
表示部２０は、ブラウザや電子ブック等のアプリケーションソフトウェア（以下、単に「アプリケーション」と記す）における画像（ページ）、アイコンや押しボタン等の入力用オブジェクト等を表示する。表示部２０は、例えば、液晶表示パネル、有機ＥＬ表示パネル、電子ペーパ等を用いて構成される。
【００１８】
接触検出部３０は、表示部２０の前面側に配置されて、表示部２０に表示されたオブジェクトに対する操作者の指やスタイラスペン等（以下、単に「接触物」と総称する）による接触を、対応する接触検出部３０のタッチ面において検出する。また、接触検出部３０は、タッチ面に対する接触物の接触の位置を検出し、当該検出した接触の位置を制御部１０に通知する。この接触検出部３０は、例えば抵抗膜方式、静電容量方式、光学式等のタッチセンサを用いて構成することができる。
【００１９】
振動部４０は、接触検出部３０を振動させるもので、例えば任意の個数の圧電振動子を接触検出部３０の周辺に貼付して構成される。振動部４０は、接触検出部３０に所定の振動パターンによる振動を発生させることにより、タッチ面に接触している接触物に対して触感を呈示する。本実施の形態において、振動部４０は、制御部１０から供給される駆動信号に基づいて振動を発生する。すなわち、制御部１０は、振動部４０を振動させるように制御する。この際、制御部１０は、接触検出部３０が検出する接触物の接触の位置に応じて、振動部４０を駆動する駆動信号を異ならせるように制御することもできる。つまり、制御部１０は、接触検出部３０が接触を検出した位置に対応する表示部２０に表示されたオブジェクトに応じて、異なる態様の振動を発生するよう制御することもできる。
【００２０】
記憶部５０は、例えばフラッシュメモリ等によって構成され、電子機器１が実行可能な各種のアプリケーション等の各種の情報を記憶する。
【００２１】
次に、本実施の形態に係る電子機器１の概略動作について、図２に示すフローチャートを参照して説明する。
【００２２】
先ず、制御部１０は、実行中のアプリケーションの画像（ページ）を表示部２０に表示する（ステップＳ２０１）。次に、制御部１０は、接触検出部３０によるページめくりに関する接触の有無を監視する（ステップＳ２０２）。その結果、接触が検出された場合、制御部１０は、接触によるページの進む又は戻るに関する入力に応じてページめくり処理を実行して、表示部２０に次のページ又は前のページを表示する（ステップＳ２０３）。
【００２３】
また、制御部１０は、ステップＳ２０３のページめくり処理の実行と同期して、振動部４０を所定の駆動信号で駆動して接触検出部３０を一定時間、所定の振動パターンで振動させる（ステップＳ２０４）。ここで、接触検出部３０を振動させる一定時間は、ページめくり処理に要する時間以下で、適宜設定される。これにより、制御部１０は、ページめくりに同期して、接触検出部３０に接触しているユーザに触感を呈示する。
【００２４】
制御部１０は、ステップＳ２０２において、接触検出部３０によるページめくりに関する接触が継続して検出されている間、ステップＳ２０３のページめくり処理及びＳ２０４の振動処理を繰り返す。また、ステップＳ２０２において接触が検出されない場合、つまり接触検出部３０から指等の接触物が離れると、制御部１０は、ページめくり処理を終了する。したがって、接触検出部３０に対して、ユーザが接触を継続している場合は、連続ページめくりが、順次のページめくりに同期した触感を伴って実行される。また、接触検出部３０に対して、ユーザが間欠的に接触する場合は、１ページずつの間欠的なページめくりが、ページめくりに同期した触感を伴って実行されることになる。
【００２５】
このように、本実施の形態に係る電子機器１は、接触検出部３０へのページめくりに関する接触が検出されると、ページめくりを実行するとともに、ページめくりに同期して、振動部４０により接触検出部３０を振動させてユーザに触感を呈示する。したがって、ユーザは、触感によりページめくり動作を認識できるので、表示部２０を注視していなくても、表示部２０に所望のページを表示させることが可能となる。これにより、特に、連続ページめくりにおいて、表示部２０を継続して注視していなければならない、というユーザへのストレスを軽減することが可能となる。
【００２６】
（第２実施の形態）
図３は、本発明の第２実施の形態に係る電子機器の概略構成を示す機能ブロック図である。図３に示す電子機器２は、図１に示した構成において、制御部１０により接触検出部３０における接触パターンを検出し、接触パターンに応じてページめくりによってめくられるページ数、つまり表示部２０への表示ページの変化ページ数を変更するものである。そのため、本実施の形態に係る電子機器２は、押圧検出部６０をさらに有し、該押圧検出部６０により接触検出部３０に対する押圧を接触パターンとして検出する。
【００２７】
押圧検出部６０は、接触検出部３０のタッチ面に対する押圧を検出するもので、例えば、押圧に応じて物理的または電気的な特性（歪み、抵抗、電圧等）が変化する歪みゲージセンサや圧電素子等を用いて構成される。押圧検出部６０が、例えば、圧電素子を用いて構成される場合、接触検出部３０のタッチ面に対する押圧に係る荷重（力）の大きさ（または、荷重（力）の大きさが変化する速さ（加速度））に応じて、圧電素子の電気的な特性である電圧の大きさ（電圧値（以下、単にデータと称する））が変化する。なお、押圧検出部６０は、振動部４０が圧電素子で構成される場合、振動部４０の圧電素子を共用して構成することが可能である。
【００２８】
制御部１０は、押圧検出部６０からデータが通知されることにより、又は、制御部１０が、押圧検出部６０のデータを検出することにより、当該データを取得する。つまり、制御部１０は、押圧検出部６０から、接触検出部３０に対する接触物の接触パターンとして、接触検出部３０のタッチ面に対する押圧に基づくデータを取得する。
【００２９】
また、記憶部５０は、さらに、押圧検出部６０のデータに対する複数の基準値と、各基準値に対応する単位変化ページ数を記憶する。また、記憶部５０は、各基準値に応じた振動部４０の駆動信号を記憶する。その他の構成は、図１と同様であるので、説明を省略する。
【００３０】
以下、本実施の形態に係る電子機器２の概略動作について、図４に示すフローチャートを参照して説明する。
【００３１】
先ず、制御部１０は、実行中のアプリケーションの画像（ページ）を表示部２０に表示する（ステップＳ４０１）。次に、制御部１０は、接触検出部３０によるページめくりに関する接触の有無を監視する（ステップＳ４０２）。接触が検出されると、制御部１０は、例えば所定のタイミングで、押圧検出部６０から接触検出部３０に対する押圧に基づくデータを取得し（ステップＳ４０３）、その取得したデータが満たす最大の基準値を検出する（ステップＳ４０４）。
【００３２】
ステップＳ４０４で基準値が検出されると、制御部１０は、当該基準値に対応する単位変化ページ数で、接触によるページの進む又は戻るに関する入力に応じてページめくり処理を実行し、表示部２０に遷移したページを表示する（ステップＳ４０４）。例えば、データが満たす最大の基準値が、最小の基準時の場合は１ページめくりとし、次に大きい基準値の場合は２ページめくりとして、遷移したページを表示部２０に表示する。
【００３３】
また、制御部１０は、ステップＳ４０４のページめくり処理の実行と同期して、当該基準値に対応する駆動信号で振動部４０を駆動する（ステップＳ４０５）。これにより、振動部４０は、表示ページの単位変化ページ数に応じた振動パターンで接触検出部３０を振動させる。例えば、１ページめくりの場合は、振動部４０を振幅の小さい又は周波数の低い駆動信号で駆動して、接触検出部３０を第１の振動パターンで振動させる。また、２ページめくりの場合は、振動部４０を振幅の大きい又は周波数の高い駆動信号で駆動して、接触検出部３０を第１の振動パターンと異なる第２の振動パターンで振動させる。なお、接触検出部３０を振動させる時間は、第１実施の形態の場合と同様である。これにより、制御部１０は、単位変化ページ数に応じて、接触検出部３０に接触しているユーザに異なる触感を呈示する。
【００３４】
制御部１０は、ステップＳ４０２において、接触検出部３０によるページめくりに関する接触が継続して検出されている間、ステップＳ４０３〜Ｓ４０５の処理を繰り返す。また、ステップＳ４０２において接触が検出されない場合は、制御部１０は、ページめくり処理を終了する。
【００３５】
本実施の形態によれば、所望のページが、現在の表示ページの近傍の場合、ユーザは、接触検出部３０を比較的弱い押圧力で押圧して、例えば１ページめくりを実行させる。これにより、ユーザは、１ページめくりに対応する触感により、１ページめくり動作を認識しながら、表示部２０への表示ページを所望のページに遷移させることが可能となる。
【００３６】
また、所望のページが、現在の表示ページから離れている場合、ユーザは、初めは、接触検出部３０を比較的強い押圧力で押圧して、例えば２ページめくりを実行させる。これにより、ユーザは、２ページめくりに対応する触感により２ページめくり動作を認識しながら表示ページを遷移させる。その後、所望のページに近づいたら、ユーザは、押圧力を弱めて１ページめくりを実行させる。これにより、ユーザは、表示部２０への表示ページを所望のページに効率よく遷移させることが可能となる。
【００３７】
したがって、本実施の形態においても、ユーザは、第１実施の形態の場合と同様に、表示部２０を注視していなくても、触感によりページめくり動作を認識できるので、ユーザに対するストレスを軽減することが可能となる。また、接触検出部３０に対する押圧に応じて単位変化ページ数を変更するので、ユーザは、ページめくりを効率よく行うことができる。また、単位変化ページ数に応じて、呈示する触感を異ならせているので、ユーザは、現在の単位変化ページ数を容易に認識することができる。
【００３８】
なお、本発明は、上記実施の形態に限定されるものではなく、幾多の変形または変更が可能である。例えば、第２実施の形態において、表示ページの単位変化ページ数に関係なく、振動部４０の駆動信号を同じにして、同様の触感を呈示してもよい。また、制御部１０により検出する接触検出部３０における接触パターンは、接触検出部３０に対する接触物のスイープ量やベクトルの接触パターンであってもよいし、押圧、スイープ量、ベクトルの任意の複数の組み合わせからなる接触パターンであってもよい。
【００３９】
また、押圧検出部６０は、接触検出部３０における接触検出方式に応じて構成することができる。例えば、抵抗膜方式の場合には、接触面積の大きさに応じた抵抗の大きさを、接触検出部３０のタッチ面に対する押圧の荷重（力）に対応付けて検出するように構成することができる。あるいは、静電容量方式の場合には、静電容量の大きさを、接触検出部３０のタッチ面に対する押圧の荷重（力）に対応付けて検出するように構成することができる。
【００４０】
また、上述した実施の形態において、振動部４０は、接触検出部３０の全面に透明圧電素子を設けて構成したり、偏心モータを用いて構成したり、することもできる。
【００４１】
また、表示部２０及び接触検出部３０は、両機能を共通の基板に持たせる等により、一体化した装置によって構成されるようにしてもよい。このような装置の構成の一例としては、液晶パネルが有するマトリクス状配列の画素電極群に、フォトダイオード等の複数の光電変換素子を規則的に混在させたものを挙げることができる。このような装置は、液晶パネル構造によって画像を表示する一方で、パネル表面の所望位置をタッチ入力するペンの先端で液晶表示用のバックライトの光を反射し、この反射光を周辺の光電変換素子が受光することによって、タッチ位置を検出することが可能である。
【符号の説明】
【００４２】
１、２  電子機器
１０  制御部
２０  表示部
３０  接触検出部
４０  振動部
５０  記憶部
６０  押圧検出部
【図１】
2013228936.tif 000003
【図２】
2013228936.tif 000004
【図３】
2013228936.tif 000005
【図４】
2013228936.tif 000006